(57)【要約】【課題】電界伝達媒体を介して情報の送受信を行う情報交換システムにおいて、相手に応じて公開する情報を柔軟に変更し、情報セキュリティをより向上する。【解決手段】携帯端末１は、トランシーバと、複数の自ユーザＩＤが記憶された記憶手段と、自ユーザの情報を他ユーザに公開するレベルを受け付ける受付手段と、前記レベルに対応する自ユーザＩＤを他携帯端末に送信するとともに、他携帯端末から他ユーザＩＤを受信して記憶手段に記憶する通信手段と、を有し、コンピュータ５は、他ユーザＩＤを含む情報取得要求を情報交換サーバ７に送信し、情報交換サーバ７は、ユーザ毎に当該ユーザに関する複数の情報と、各情報のレベルとが記憶されたデータベース７３と、コンピュータ５からの情報取得要求で指定された他ユーザＩＤに対応するレベルの他ユーザの情報をデータベース７３から抽出し、コンピュータ５に送信する情報提供手段と、を有する。【選択図】図１
2008084201.tif 000002
【特許請求の範囲】
【請求項１】
電界伝達媒体を介して通信する電界通信を用いた情報交換システムであって、
情報交換サーバと、各ユーザが使用する携帯端末およびコンピュータと、を有し、
前記携帯端末は、
送信すべき情報に基づく電界を電界伝達媒体に誘起させるとともにこの誘起した電界を検出して情報の送受信を行うトランシーバと、
複数の自ユーザＩＤが記憶された記憶手段と、
自ユーザの情報を他ユーザに公開するレベルを受け付ける受付手段と、
前記受付手段が受け付けたレベルに対応する自ユーザＩＤを前記記憶手段から読み出して他携帯端末に送信するとともに、前記他携帯端末から他ユーザＩＤを受信して前記記憶手段に記憶する通信手段と、を有し、
前記通信手段は、自携帯端末を携帯する自ユーザと他携帯端末を携帯する他ユーザとが接触することにより、前記トランシーバおよび電界伝達媒体を介して前記他携帯端末と通信し、
前記コンピュータは、前記携帯端末が取得した他ユーザＩＤを含む情報取得要求を、前記情報交換サーバに送信し、
前記情報交換サーバは、
ユーザ毎に、当該ユーザに関する複数の情報と、各情報のレベルとが記憶されたデータベースと、
前記コンピュータからの情報取得要求を受信し、当該情報取得要求で指定された他ユーザＩＤに対応するレベルの他ユーザの情報を前記データベースから抽出し、前記コンピュータに送信する情報提供手段と、を有すること
を特徴とする情報交換システム。
【請求項２】
電界伝達媒体を介して通信する電界通信を用いた情報交換システムにおける携帯端末であって、
送信すべき情報に基づく電界を電界伝達媒体に誘起させるとともにこの誘起した電界を検出して情報の送受信を行うトランシーバと、
複数の自ユーザＩＤが記憶された記憶手段と、
自ユーザの情報を他ユーザに公開するレベルを受け付ける受付手段と、
前記受付手段が受け付けたレベルに対応する自ユーザＩＤを前記記憶手段から読み出して他携帯端末に送信するとともに、前記他携帯端末から他ユーザＩＤを受信して前記記憶手段に記憶する通信手段と、を有し、
前記通信手段は、自携帯端末を携帯する自ユーザと他携帯端末を携帯する他ユーザとが接触することにより、前記トランシーバおよび電界伝達媒体を介して前記他携帯端末と通信すること
を特徴とする携帯端末。
【発明の詳細な説明】
【技術分野】
【０００１】
本発明は、送信すべき情報に基づく電界を電界伝達媒体に誘起させるとともにこの誘起した電界を検出して情報の送受信を行うトランシーバを用いた情報交換システムに関する。
【背景技術】
【０００２】
携帯端末の小型化および高性能化によりウェアラブルコンピュータが注目されているが、図９はこのようなウェアラブルコンピュータを人間に装着して使用する場合の例を示している。同図に示すように、ウェアラブルコンピュータ７はそれぞれトランシーバ９を介して人間の腕、肩、胴体などに装着されて互いにデータの送受信を行うとともに、更に手足の先端で触れられるよう壁や床に設けられたトランシーバ９ａ、９ｂとケーブルとを介して外部に設けられたパソコン（ＰＣ）８と通信を行っている。
【０００３】
ここで、このようなウェアラブルコンピュータ７間、およびウェアラブルコンピュータ７とパソコン８間とのデータ通信に使用されるトランシーバ９は、レーザ光と電気光学結晶を用いた電気光学的手法による信号検出技術を利用していて、送信すべき情報に基づく電界を電界伝達媒体である生体に誘起させ、この誘起した電界を用いて情報の送受信を行うものである。
【０００４】
なお、トランシーバ９については、例えば特許文献１に記載されている。
【特許文献１】特開２００１−３５２２９８号公報
【発明の開示】
【発明が解決しようとする課題】
【０００５】
さて、展示会などで、事前にユーザＩＤと、個人情報（氏名、連絡先など）とを登録しておき、展示会の出展者から展示されている商品の情報をもらう際に、ユーザＩＤを提示することが考えられる。この場合、ユーザＩＤを取得した出展者は、登録された当該ユーザの個人情報を全て取得することができる。これにより、ユーザＩＤを提示したユーザは、後に不要な営業メールや、ダイレクトメールなどが送られ、迷惑する場合がある。
【０００６】
また、各種のサークルなどで、ある人には登録された全ての個人情報を公開してもよいが、他の人には登録された個人情報のうち名前だけしか公開したくない場合がある。
【０００７】
本発明は、上記事情に鑑みてなされたものであり、本発明の目的は、電界伝達媒体を介して情報の送受信を行う情報交換システムにおいて、相手に応じて公開する情報を柔軟に変更し、情報セキュリティをより向上することにある。
【課題を解決するための手段】
【０００８】
上記目的を達成するため、第１の本発明は、電界伝達媒体を介して通信する電界通信を用いた情報交換システムであって、情報交換サーバと、各ユーザが使用する携帯端末およびコンピュータと、を有し、前記携帯端末は、送信すべき情報に基づく電界を電界伝達媒体に誘起させるとともにこの誘起した電界を検出して情報の送受信を行うトランシーバと、複数の自ユーザＩＤが記憶された記憶手段と、自ユーザの情報を他ユーザに公開するレベルを受け付ける受付手段と、前記受付手段が受け付けたレベルに対応する自ユーザＩＤを前記記憶手段から読み出して他携帯端末に送信するとともに、前記他携帯端末から他ユーザＩＤを受信して前記記憶手段に記憶する通信手段と、を有し、前記通信手段は、自携帯端末を携帯する自ユーザと他携帯端末を携帯する他ユーザとが接触することにより、前記トランシーバおよび電界伝達媒体を介して前記他携帯端末と通信し、前記コンピュータは、前記携帯端末が取得した他ユーザＩＤを含む情報取得要求を、前記情報交換サーバに送信し、前記情報交換サーバは、ユーザ毎に、当該ユーザに関する複数の情報と、各情報のレベルとが記憶されたデータベースと、前記コンピュータからの情報取得要求を受信し、当該情報取得要求で指定された他ユーザＩＤに対応するレベルの他ユーザの情報を前記データベースから抽出し、前記コンピュータに送信する情報提供手段と、を有する。
【０００９】
また、第２の本発明は、電界伝達媒体を介して通信する電界通信を用いた情報交換システムにおける携帯端末であって、送信すべき情報に基づく電界を電界伝達媒体に誘起させるとともにこの誘起した電界を検出して情報の送受信を行うトランシーバと、複数の自ユーザＩＤが記憶された記憶手段と、自ユーザの情報を他ユーザに公開するレベルを受け付ける受付手段と、前記受付手段が受け付けたレベルに対応する自ユーザＩＤを前記記憶手段から読み出して他携帯端末に送信するとともに、前記他携帯端末から他ユーザＩＤを受信して前記記憶手段に記憶する通信手段と、を有し、前記通信手段は、自携帯端末を携帯する自ユーザと他携帯端末を携帯する他ユーザとが接触することにより、前記トランシーバおよび電界伝達媒体を介して前記他携帯端末と通信する。
【発明の効果】
【００１０】
本発明によれば、電界伝達媒体を介して情報の送受信を行う情報交換システムにおいて、相手に応じて公開する情報を柔軟に変更し、情報セキュリティをより向上することができる。
【発明を実施するための最良の形態】
【００１１】
以下、本発明の実施の形態を、図面を用いて説明する。
【００１２】
図１は、本発明の実施の形態に係る情報交換システムの全体構成図である。本実施形態では、展示会、趣味のサークルなどの情報交換会において、情報の交換を行うものとする。図示する情報交換システムは、各ユーザが使用する携帯端末１およびＰＣ（Personal Computer）などのコンピュータ５と、情報交換サーバ７とを有する。各コンピュータ５は、ネットワーク９を介して情報交換サーバ７に接続されている。
【００１３】
各ユーザは、情報交換会に参加する前に、コンピュータ５を用いて、当該ユーザに関する情報を情報交換サーバ７に登録する。そして、各ユーザは、携帯端末１を携帯して、情報交換会に参加し、携帯端末１を用いて他ユーザとユーザＩＤを交換する。そして、ユーザは、情報交換会の後に、コンピュータ５を用いて、他ユーザに関する情報を情報交換サーバ７から取得する。
【００１４】
各コンピュータ５は、各ユーザの指示を受け付けて、当該ユーザに関する情報を情報交換サーバ７に登録するとともに、情報交換サーバ７から他ユーザに関する情報を取得する。
【００１５】
携帯端末１は、ユーザ同士が握手などをして接触することにより、電界通信媒体であるユーザを介して他の携帯端末１との間で通信路を確立し、他の携帯端末１とデータの送受信を行う。
【００１６】
図２は、携帯端末１の構成を示す図である。携帯端末１は、コンピュータ２とトランシーバ３とを備える。コンピュータ２は、受付部２１と、通信部２２と、記憶部２３とを有する。受付部２１は、選択ボタンなどの入力装置（不図示）から入力されたユーザの指示を受け付ける。通信部２２は、トランシーバ３を介して、他の携帯端末とデータの送受信を行う。記憶部２３には、自ユーザの複数の自ユーザＩＤと、他の携帯端末から取得した他ユーザの他ユーザＩＤとが記憶される。
【００１７】
トランシーバ３は、レーザ光と電気光学結晶を用いた電気光学的手法による信号検出技術を利用していて、送信すべき情報に基づく電界を電界伝達媒体である生体に誘起させ、この誘起した電界を用いて情報の送受信を行うトランシーバである。
【００１８】
例えば、トランシーバ３は、図２に示すような構成をしており、コンピュータ２からの送信データを入出力（Ｉ／Ｏ）回路９０１を介して受け取ると、この送信データを送信部９０２を介して送受信電極９０３に供給し、該送受信電極９０３および絶縁膜９０４を介して電界伝達媒体に電界を誘起させ、この電界を電界伝達媒体の他の部位に伝達させる。また、トランシーバ３は、電界伝達媒体に誘起されて伝達されてくる電界を絶縁膜９０４を介して送受信電極９０３で検出し、この電界を電界検出光学部９０５に結合して電気信号に変換する。そして、この電気信号は、信号処理回路９０６で増幅、ノイズ除去などの信号処理を施され、更に波形整形回路９０７で波形整形がなされ、入出力回路９０１を介してコンピュータ２に出力するようになっている。
【００１９】
なお、トランシーバ３の受信部９１０において、電界検出光学部９０５の替わりに、電気的な検出回路により電界を検出することとしてもよい。
【００２０】
情報交換サーバ７は、登録部７１と、情報提供部７２と、データベース７３と、を有する。登録部７１は、各コンピュータ５から各ユーザに関する登録情報を受信し、当該情報をデータベース７３に登録する。また、登録部７１は、情報を登録したユーザに複数のユーザＩＤを設定し、要求元のコンピュータ５に送信する。情報提供部７２は、各コンピュータ５から他ユーザの情報の取得要求を受信し、データベース７３から所定の情報を抽出し、要求元のコンピュータ５に送信する。
【００２１】
図３および図４は、データベース７３に登録される個人情報の一例である。なお、図示する個人情報テーブルは説明の便宜上、１人のユーザのデータを示しているが、実際は複数のユーザ（会員全員）のデータが混在するデータベースである。
【００２２】
図３は、展示会の場合の個人情報テーブルである。図３（ａ）は展示会に参加する参加ユーザの個人情報テーブルで、図３（ｂ）は展示会に商品などを出展・出品する出展ユーザの個人情報テーブルである。
【００２３】
図３（ａ）の参加ユーザ用の個人情報テーブルでは、縦軸には登録データ（氏名、連絡先など）３１が、横軸には当該ユーザが使用する複数のＩＤ３２が、それぞれ設定されている。横軸に設定された各ＩＤは、登録データを公開するレベル毎に、情報交換サーバ７が決定するものとする。
【００２４】
例えば、レベルＡは、自身の全ての登録データを相手（出展ユーザ）に公開（提供）し、出展ユーザに自分に適した情報を提供・提案してもらいたい場合に使用するレベルである。レベルＢは、興味をもった出展ユーザに対して、自身の登録データの一部を公開し、引き続き情報を提供してもらいたい場合に使用するレベルである。レベルＣは、単に情報収集の目的で使用するレベルであって、最小限の登録データを公開する場合に使用するレベルである。レベルＸは、興味のない出展ユーザに対してやむを得ず情報交換する場合に使用するレベルであって、自身のデータは一切提供しない。
【００２５】
また、図示する個人情報テーブルの各セルには「○（公開対象）」または「×（公開非対象）」が設定されている。例えば、レベルＡ用のユーザＩＤの場合、全ての登録データが公開対象であることを示し、レベルＸ用のユーザＩＤの場合、全ての登録データが公開非対象であることを示している。
【００２６】
ユーザは、コンピュータ５を用いて情報の登録を行う際に、登録データ、および登録データのレベルを入力する。例えば、氏名については、レベルＡ、レベルＢおよびレベルＣの登録データとして指定する。また、連絡先については、レベルＡおよびレベルＢの登録データとして指定する。
【００２７】
図３（ｂ）の出展ユーザ用の個人情報テーブルは、図３（ａ）と同様に、縦軸には各登録データが、横軸には当該ユーザが使用する複数のＩＤが、それぞれ設定されている。図示する個人情報テーブルの場合、例えば、レベルＥは、興味がありそうな参加ユーザに対して、自身の全ての登録データ（例えば、製品の詳細情報や仕様など）を公開する場合に使用するレベルである。レベルＦは、自身の登録データの一部（パンフレットやカタログなど）を公開する場合に使用するレベルである。
【００２８】
図４は、趣味のサークルの会合の場合の個人情報テーブルであって、図３（ａ）と同様に、縦軸には各登録データが、横軸には当該ユーザが使用する複数のＩＤが、それぞれ設定されている。図示する個人情報テーブルの場合、例えば、レベルＡは、自身の全ての登録データを相手に公開し、情報を蜜に交換していきたい場合に使用するレベルである。レベルＢは、登録データの一部を公開し、普通に情報交換をする場合に使用するレベルである。レベルＣは、登録データの一部を公開するが、連絡先は教えたくない場合に使用するレベルである。
【００２９】
上記説明した、携帯端末１のコンピュータ２、コンピュータ５、情報交換サーバ７は、いずれもＣＰＵと、メモリと、外部記憶装置と、入力装置と、出力装置と、他の装置と接続するための通信制御装置と、これらの各装置を接続するバスと、を備えた汎用的なコンピュータシステムを用いることができる。このコンピュータシステムにおいて、ＣＰＵがメモリ上にロードされた所定のプログラムを実行することにより、各装置の各機能が実現される。なお、各装置２、５、７は、必要に応じて、外部記憶装置、入力装置および出力装置を備えるものとする。
【００３０】
次に、本実施形態の情報交換処理について説明する。
【００３１】
本実施形態の情報交換処理では、個人情報を情報交換サーバ７に登録する情報登録処理と、情報交換会でユーザＩＤを交換するＩＤ交換処理と、情報交換サーバ７から他ユーザの情報を取得する情報取得処理とを有する。
【００３２】
図５は、情報登録処理のシーケンス図である。
【００３３】
本処理においては、各ユーザは、情報交換会に参加する前に、事前に当該ユーザに関する情報を情報交換サーバ７に登録し、複数のユーザＩＤを取得する。
【００３４】
まず、各ユーザは、コンピュータ５を用いて、情報交換サーバ７に自ユーザに関する情報を登録する。すなわち、コンピュータ５、ユーザが入力した複数の登録データと、当該登録データ各々に指定されたレベルとを含む登録情報を受け付ける。そして、コンピュータ５は、受け付けた登録情報の登録要求を、情報交換サーバ７に送信する（Ｓ１１）。
【００３５】
情報交換サーバ７の登録部７１は、コンピュータ５から登録要求を受信して、個人情報テーブルを生成し、データベース７３に登録する（Ｓ１２）。すなわち、登録部７１は、レベル毎にユーザＩＤを複数生成し、図３または図４に示すような個人情報テーブルを生成する。なお、登録部７１は、レベルおよびユーザが特定できないようなユーザＩＤを生成し、割り当てるものとする。
【００３６】
そして、登録部７１は、生成したユーザＩＤおよび当該ユーザＩＤのレベルを、コンピュータ５に送信する（Ｓ１３）。コンピュータ５は、受信した各ユーザＩＤと対応するレベルをディスプレイなどの出力装置に出力する。そして、ユーザは、出力した各ユーザＩＤとレベルを携帯端末１に入力する。携帯端末１の受付部２１は、入力された複数のユーザＩＤをレベルと対応付けて、記憶部２３に記憶する（Ｓ１４）。
【００３７】
図６は、携帯端末同士がユーザＩＤを交換するＩＤ交換処理のシーケンス図である。
【００３８】
本処理においては、各ユーザは、複数のユーザＩＤが記憶された携帯端末１を携帯して情報交換会に参加し、他ユーザとユーザＩＤを交換する。
【００３９】
まず、ユーザは、情報交換会で出会った他ユーザ（相手）に対するレベルを決定する。例えば、他ユーザを気に入った場合は自分の全ての登録データを公開（提供）するレベルＡ、また、あまり気に入らない他ユーザには自分の登録データの一部を公開するレベルＣを選択する。そして、ユーザは決定したレベルを携帯端末１に入力する。
【００４０】
携帯端末１の受付部２１は、選択ボタンまたはスイッチなどの入力装置から入力されたレベルを受け付け、記憶部２３に記憶する（Ｓ２１、２２）。そして、ユーザ同士が握手するなどして接触した場合、２つの携帯端末１の間で、トランシーバ３および電界通信媒体であるユーザの人体を介して通信路が確立される（Ｓ２３）。なお、ユーザが互いの携帯端末１を重ねて接触させることにより、通信路を確立することとしてもよい。
【００４１】
通信路が確立した後、携帯端末１の通信部２２は、Ｓ２１およびＳ２２で受け付けたレベルに対応する自ユーザＩＤを記憶部２３から読み出して他ユーザの携帯端末に送信するとともに、他ユーザの携帯端末から他ユーザＩＤを受信する（Ｓ２４）。そして、通信部２２は、受信した他ユーザＩＤを記憶部２３に記憶する（Ｓ２５、Ｓ２６）。なお、通信部２２は、他ユーザＩＤを記憶する際に、受信時刻（交換日時）および送信した自ユーザＩＤも、併せて記憶部２３に記憶することとしてもよい。
【００４２】
図７は、情報交換サーバ７から、他ユーザの情報を取得する情報取得処理のシーケンス図である。情報交換会の後に、各ユーザは、ユーザＩＤを交換した他ユーザに関する情報を情報交換サーバ７から取得する。
【００４３】
まず、コンピュータ５は、ユーザの指示を受け付けて、情報交換サーバ７にアクセスし、情報取得要求を送信する（Ｓ３１）。情報取得要求には、情報交換会で交換した他ユーザＩＤが含まれている。ユーザは、携帯端末１の記憶部２３に記憶された他ユーザＩＤを、コンピュータ５に入力するものとする。
【００４４】
情報交換サーバ７の情報提供部７２は、情報取得要求を受信し、当該情報取得要求で指定された他ユーザＩＤに対応する個人情報テーブル（図３、図４参照）をデータベース７３から特定する。そして、情報提供部７２は、特定した個人情報テーブルから当該他ユーザＩＤの対象となる登録データを検索し、抽出する（Ｓ３２）。そして、情報提供部７２は、抽出した他ユーザの登録データを、コンピュータ５に送信する（Ｓ３３）。
【００４５】
コンピュータ５は、情報交換サーバ７から、他ユーザの登録データを受信し、ディスプレイなどの出力装置（不図示）に出力する（Ｓ３４）。
【００４６】
以上説明した本実施形態の携帯端末１は、公開する情報のレベルに応じた複数のユーザＩＤが設定され、ユーザの指示により適切なユーザＩＤを他の携帯端末に送信する。これにより、情報交換サーバ７に登録された個人情報であっても、相手に応じて公開する個人情報のレベル（範囲・内容）を柔軟に変更することができる。したがって、連絡先を教えたくない相手の場合、氏名だけの最小限の情報のみを公開するレベル（または、全ての情報を公開しないレベル）のユーザＩＤを送信することができる。これにより、不要な営業メールや、ダイレクトメールなどが送られてくることを回避することができる。また、情報セキュリティをより向上することができる。
【００４７】
また、本実施形態では、携帯端末１でユーザＩＤのみを交換し、相手の情報については情報交換サーバ７から取得する。また、交換するユーザＩＤからは情報を公開するレベルを特定することができない。これにより、ユーザは、相手から受け取ったユーザＩＤがどのレベルに相当するかを認識できないため、個人情報を渡すか渡さないかでトラブルが発生することを回避することができる。
【００４８】
また、本実施形態では、電界通信を用いて携帯端末間での通信経路を確立し、握手などによりユーザＩＤの送受信を行う。これにより、ユーザインタフェースを向上することができる。
【００４９】
以上、本発明の各実施の形態について説明してきたが、本発明の要旨を逸脱しない範囲において、本発明の実施の形態に対して種々の変形や変更を施すことができる。例えば、
本発明は、コンパ、ゲーム、エンタテーメントなどに適用することとしてもよい。この場合、情報交換サーバ７のデータベース７３に登録される個人情報テーブルとしては、例えば、図８に示す個人情報テーブルが考えられる。図示する個人情報テーブルの場合、例えば、レベルＡは、気に入った相手に対して、自身の全ての登録データを教える場合に使用するレベルである。レベルＢは、そこそこ気に入った相手に対して名前と連絡先だけを教える場合に使用するレベルである。レベルＣは、その場では会話をするが、連絡先は教えたくない場合に使用するレベルである。レベルＸは、付き合いたくない相手に対して、一切の登録データを教えない場合に使用するレベルである。なお、図示する個人情報テーブルは説明の便宜上、１人のユーザのデータを示しているが、実際は複数のユーザのデータが混在するデータベースである。
【００５０】
また、上記実施形態のＩＤ交換処理（図６参照）では、ユーザＩＤを交換する前に、相手を見てレベルを入力し、切り替えることとした。しかしながら、本発明はこれに限定されず、様々な方法でレベルを設定することとしてもよい。例えば、デフォルトのレベルをあらかじめ設定しておいて、レベルが入力されない場合はデフォルトのレベルに対応するユーザＩＤを送信することとしてもよい。また、デフォルトのレベル以外のレベルが入力された場合は、一回だけ当該レベルに対応するユーザＩＤを送信し、あるいは、所定の時間内だけ当該レベルに対応するユーザＩＤを送信し、その後はデフォルトのレベルに対応するユーザＩＤを送信することとしてもよい。また、入力されたレベルは、その後、他のレベルが入力されるまで有効とし、当該レベルに応じたユーザＩＤを送信することとしてもよい。
【００５１】
また、情報取得処理（図７参照）において、情報交換サーバ７の情報提供部７２は、所定の時間が経過するまで（例えば、情報交換会が終了するまで）、ユーザのＩＤへのアクセスを拒否することとしてもよい。あるいは、情報交換サーバ７は、アクセスできる期間（翌日から２週間等）を特定してもよい。そのため、図６のＩＤ交換時に交換日時を携帯端末２に記録し、図７の情報取得時に当該交換日時を付加した要求を出力することで、ＩＤへのアクセスを制御することも可能である。これにより、情報交換会でユーザＩＤを交換した直後に情報交換サーバ７にアクセスして、トラブルが発生することを回避することができる。
【００５２】
また、本実施形態の情報交換サーバ７のデータベース７３に登録される個人情報は、複数のユーザのデータが混在するデータベースであるとしたが、ユーザ毎にデータベースを備えることとしてもよい。この場合、各データベースに登録するデータ項目は、各ユーザが自由に設定することができるものとする。
【図面の簡単な説明】
【００５３】
【図１】本発明の実施の形態に係る情報交換システムの全体構成図である。
【図２】携帯端末の構成を示すブロック図である。
【図３】展示会における個人情報テーブルの一例を示す図である。
【図４】趣味のサークルにおける個人情報テーブルの一例を示す図である。
【図５】情報交換サーバに情報を登録する情報登録処理のシーケンス図である。
【図６】携帯端末同士がＩＤを交換するＩＤ交換処理のシーケンス図である。
【図７】情報交換サーバから情報を取得する情報取得処理のシーケンス図である。
【図８】コンパにおける個人情報テーブルの一例を示す図である。
【図９】トランシーバを介してウェアラブルコンピュータを人間に装着して使用する場合の例を示す説明図である。
【符号の説明】
【００５４】
１  携帯端末
２，５  コンピュータ
３  トランシーバ
４  携帯端末
７  情報交換サーバ
９０１  Ｉ／Ｏ回路
９０２  送信部
９０３  送受信電極
９０４  絶縁膜
９０５  電界検出光学部
９０６  信号処理回路
９０７  波形整形回路
９１０  受信部
【図１】
2008084201.tif 000003
【図２】
2008084201.tif 000004
【図３】
2008084201.tif 000005
【図４】
2008084201.tif 000006
【図５】
2008084201.tif 000007
【図６】
2008084201.tif 000008
【図７】
2008084201.tif 000009
【図８】
2008084201.tif 000010
【図９】
2008084201.tif 000011